(57)【要約】【課題】走査部に故障が発生した場合に、速やかにユーザに故障の発生を認識させる。【解決手段】投影装置は、走査手段により、光源からのレーザ光を表示領域内に走査する。また、走査手段の故障を検出する故障検出手段が設けられ、走査手段の故障が検出された場合、光源は故障インジケータとして所定の発光を行う。【選択図】図５
2018180356.tif 000002
【特許請求の範囲】
【請求項１】
レーザ光を発光する光源と、
前記レーザ光を表示領域内に走査する走査手段と、
前記走査手段の故障を検出する故障検出手段と、
前記故障検出手段により故障が検出された場合に、前記光源に所定の発光をさせる制御手段と、
を備えることを特徴とする投影装置。
【請求項２】
前記制御手段は、前記故障検出手段により故障が検出された場合に、前記光源を所定光量以下で発光させることを特徴とする請求項１に記載の投影装置。
【請求項３】
前記走査手段は、供給される駆動信号に応じて揺動することで前記レーザ光を走査し、
前記制御手段は、前記故障検出手段により故障が検出された場合に、前記走査手段への前記駆動信号の供給を停止させることを特徴とする請求項１または２に記載の投影装置。
【請求項４】
前記制御手段は、前記故障検出手段により故障が検出された場合に、前記光源を点滅発光させることを特徴とする請求項１〜３のいずれか一項に記載の投影装置。
【請求項５】
外部環境の明るさを検出する外部環境検出手段を備え、
前記制御手段は、前記故障検出手段により故障が検出された場合に、前記外部環境検出手段により検出された前記外部環境の明るさに応じて、前記所定光量を変化させることを特徴とする請求項２に記載の投影装置。
【請求項６】
前記制御手段は、前記故障検出手段により故障が検出された場合に、前記光源に所定色のレーザ光を発光させることを特徴とする請求項１〜５のいずれか一項に記載の投影装置。
【請求項７】
レーザ光を発光する光源と、前記レーザ光を走査する走査手段と、を備える投影装置により実行される投影方法であって、
前記走査手段により、前記レーザ光を表示領域内に走査する走査工程と、
前記走査手段の故障を検出する故障検出工程と、
前記故障検出工程により故障が検出された場合に、前記光源に所定の発光をさせる制御工程と、
を備えることを特徴とする投影方法。
【請求項８】
レーザ光を発光する光源と、コンピュータと、を備える投影装置により実行されるプログラムであって、
前記レーザ光を表示領域内に走査する走査手段、
前記走査手段の故障を検出する故障検出手段、
前記故障検出手段により故障が検出された場合に、前記光源に所定の発光をさせる制御手段、
として前記コンピュータを機能させることを特徴とするプログラム。
【請求項９】
請求項８に記載のプログラムを記憶した記憶媒体。
【発明の詳細な説明】
【技術分野】
【０００１】
本発明は、光源からの光を投影する装置に関する。
【背景技術】
【０００２】
レーザ光を走査することにより画像を表示する装置が知られている。例えば、特許文献１には、レーザ光を走査させるスキャナの故障を検出した場合に、外部へのレーザ光の投射を遮断もしくは停止するレーザディスプレイ装置が開示されている。
【０００３】
また、特許文献２には、光源装置から射出された複数の異なる射出方向のレーザ光を被投射面に向かって走査する走査手段と、光源装置及び走査手段を収容する筐体とを備え、走査手段が故障し平衡状態で停止した場合にレーザ光が筐体の外部に射出されないように光源装置と走査手段が配置された画像表示装置が開示されている。
【先行技術文献】
【特許文献】
【０００４】
【特許文献１】特許４４０７１７９号公報
【特許文献２】特許４７３６９９３号公報
【発明の概要】
【発明が解決しようとする課題】
【０００５】
特許文献１、２の手法は、いずれも走査手段が故障した場合に、レーザ光が装置の外部に射出されないようにしているため、外部へのレーザ光照射量がその製品の属するレーザクラスで定められた照射量を超えることはない。しかしながら、上記文献の手法では、通常での画像表示エリアに画像が一切表示されなくなるため、ユーザは、表示装置に何らかの故障が発生したのか、表示装置がＯＦＦ状態であるのか、または、表示すべき画像がないだけなのかを、速やかに認識することができない。
【０００６】
本発明の解決しようとする課題としては、上記のものが一例として挙げられる。本発明は、走査部に故障が発生した場合に、速やかにユーザに故障の発生を認識させることが可能な投影装置を提供することを目的とする。
【課題を解決するための手段】
【０００７】
請求項１に記載の発明は、投影装置であって、レーザ光を発光する光源と、前記レーザ光を表示領域内に走査する走査手段と、前記走査手段の故障を検出する故障検出手段と、
前記故障検出手段により故障が検出された場合に、前記光源に所定の発光をさせる制御手段と、を備えることを特徴とする。
【０００８】
請求項７に記載の発明は、レーザ光を発光する光源と、前記レーザ光を走査する走査手段と、を備える投影装置により実行される投影方法であって、前記走査手段により、前記レーザ光を表示領域内に走査する走査工程と、前記走査手段の故障を検出する故障検出工程と、前記故障検出工程により故障が検出された場合に、前記光源に所定の発光をさせる制御工程と、を備えることを特徴とする。
【０００９】
請求項８に記載の発明は、レーザ光を発光する光源と、コンピュータと、を備える投影装置により実行されるプログラムであって、前記レーザ光を表示領域内に走査する走査手段、前記走査手段の故障を検出する故障検出手段、前記故障検出手段により故障が検出された場合に、前記光源に所定の発光をさせる制御手段、として前記コンピュータを機能させることを特徴とする。
【図面の簡単な説明】
【００１０】
【図１】実施例の投影装置を適用したヘッドアップディスプレイの一例を示す。
【図２】投影装置の内部構成を示すブロック図である。
【図３】ＭＥＭＳミラーの構成例を示す図である。
【図４】ＭＥＭＳミラーの故障時の表示例を示す。
【図５】ＭＥＭＳミラーの故障表示処理のフローチャートである。
【発明を実施するための形態】
【００１１】
本発明の１つの好適な実施形態では、投影装置は、レーザ光を発光する光源と、前記レーザ光を表示領域内に走査する走査手段と、前記走査手段の故障を検出する故障検出手段と、前記故障検出手段により故障が検出された場合に、前記光源に所定の発光をさせる制御手段と、を備える。
【００１２】
上記の投影装置は、走査手段により、光源からのレーザ光を表示領域内に走査する。また、走査手段の故障を検出する故障検出手段が設けられ、走査手段の故障が検出された場合、光源は所定の発光を行う。所定の発光は故障インジケータとして機能し、ユーザは所定の発光を見ることにより故障の発生を容易に認識することができる。
【００１３】
上記の投影装置の一態様では、前記制御手段は、前記故障検出手段により故障が検出された場合に、前記光源を所定光量以下で発光させる。この態様では、走査手段に故障が発生した場合、レーザクラスで定められた照射量を超えないように所定光量以下で発光が行われる。
【００１４】
上記の投影装置の他の一態様では、前記走査手段は、供給される駆動信号に応じて揺動することで前記レーザ光を走査し、前記制御手段は、前記故障検出手段により故障が検出された場合に、前記走査手段への前記駆動信号の供給を停止させる。この態様では、走査手段に故障が発生した場合に駆動信号の供給が停止されるので、レーザ光の表示範囲内の所定位置で所定の発光がなされる。
【００１５】
上記の投影装置の他の一態様では、前記制御手段は、前記故障検出手段により故障が検出された場合に、前記光源を点滅発光させる。この態様では、光源が点滅発光するので、ユーザは容易に故障の発生に気づくことができる。
【００１６】
上記の投影装置の他の一態様では、外部環境の明るさを検出する外部環境検出手段を備え、前記制御手段は、前記故障検出手段により故障が検出された場合に、前記外部環境検出手段により検出された前記外部環境の明るさに応じて、前記所定光量を変化させる。この態様では、外部環境の明るさを考慮して、ユーザにとって見やすい光量で所定の発光がなされる。
【００１７】
上記の投影装置の他の一態様では、前記制御手段は、前記故障検出手段により故障が検出された場合に、前記光源に所定色のレーザ光を発光させる。この態様では、故障の発生を示す所定色のレーザ光を発光することにより、ユーザに故障の発生を明確に示すことができる。
【００１８】
本発明の他の好適な実施形態では、レーザ光を発光する光源と、前記レーザ光を走査する走査手段と、を備える投影装置により実行される投影方法は、前記走査手段により、前記レーザ光を表示領域内に走査する走査工程と、前記走査手段の故障を検出する故障検出工程と、前記故障検出工程により故障が検出された場合に、前記光源に所定の発光をさせる制御工程と、を備える。ユーザは所定の発光を見ることにより故障の発生を容易に認識することができる。
【００１９】
本発明の他の好適な実施形態では、レーザ光を発光する光源と、コンピュータと、を備える投影装置により実行されるプログラムは、前記レーザ光を表示領域内に走査する走査手段、前記走査手段の故障を検出する故障検出手段、前記故障検出手段により故障が検出された場合に、前記光源に所定の発光をさせる制御手段、として前記コンピュータを機能させる。このプログラムをコンピュータで実行することにより、上記の投影装置を実現することができる。このプログラムは、記憶媒体に記憶して取り扱うことができる。
【実施例】
【００２０】
以下、図面を参照して本発明の好適な実施例について説明する。
［装置構成］
（ヘッドアップディスプレイ）
まず、実施例に係る投影装置を適用したヘッドアップディスプレイ（以下、「ＨＵＤ」と呼ぶ。）の一例を説明する。図１は、ＨＵＤ４０の概略構成を示す。図１に示すように、ＨＵＤ４０は、光源ユニット４１を備え、フロントウィンドウ４６、天井部４７、ボンネット４８、及びダッシュボード４９などを備える車両に取り付けられる。
【００２１】
光源ユニット４１は、支持部材４３ａ、４３ｂを介して車室内の天井部４７に設置され、運転を補助する情報を示す画像を構成する光を、コンバイナ４４に向けて出射する。具体的には、光源ユニット４１は、内部の投影装置４２により光源ユニット４１内に表示像の元画像（実像）を生成し、その画像を構成する光をコンバイナ４４へ出射することで、コンバイナ４４を介して運転者に虚像Ｉｖを視認させる。
【００２２】
コンバイナ４４は、光源ユニット４１から出射される表示像が投影されると共に、表示像を運転者のアイポイントＰｅへ反射することで当該表示像を虚像Ｉｖとして表示させる。そして、コンバイナ４４は、天井部４７に設置された支持軸部４５を有し、支持軸部４５を支軸として回動する。支持軸部４５は、例えば、フロントウィンドウ４６の上端近傍の天井部４７、言い換えると運転者用の図示しないサンバイザが設置される位置の近傍に設置される。なお、支持軸部４５は、上述のサンバイザに代えて設置されてもよい。
【００２３】
（投影装置）
次に、投影装置４２について説明する。図２は、投影装置４２の構成を示す。図２に示すように、投影装置４２は、画像信号入力部２と、映像処理部３と、フレームメモリ４と、ＲＯＭ５と、ＲＡＭ６と、レーザドライバ７と、ＭＥＭＳ（Ｍｉｃｒｏ  Ｅｌｅｃｔｒｏ  Ｍｅｃｈａｎｉｃａｌ  Ｓｙｓｔｅｍｓ）ドライバ８と、ＭＥＭＳミラー９５を有するレーザ光源部９と、マイクロレンズアレイ１３と、フィールドレンズ１４と、タイミングコントローラ２１と、ＭＣＵ（Ｍｉｃｒｏ  Ｃｏｎｔｒｏｌｌｅｒ  Ｕｎｉｔ）２２と、を備える。投影装置４２は、ＨＵＤ４０に用いられ、コンバイナ４４に表示像を構成する光を出射する。
【００２４】
画像信号入力部２は、外部から入力される画像信号Ｓｉを受信して映像処理部３に出力する。映像処理部３は、画像信号入力部２から入力された画像データを内部のフレームメモリに書き込み、ＭＥＭＳミラー９５の駆動タイミングに応じて随時読み出し、赤（Ｒ）、緑（Ｇ）、青（Ｂ）の各色ごとに各ピクセルの輝度に対応する制御信号を順次レーザドライバ７に送信する。
【００２５】
タイミングコントローラ２１は、映像処理部３のフレームメモリからの画像データの読み出しタイミングを制御する。また、タイミングコントローラ２１は、ＭＥＭＳミラー９５から出力される走査位置情報Ｓｃに基づいてＭＥＭＳドライバ８の動作タイミングも制御する。
【００２６】
ＲＯＭ５は、映像処理部３が動作するための制御プログラムやデータなどを記憶している。ＲＡＭ６には、映像処理部３が動作する際のワークメモリとして、各種データが逐次読み書きされる。
【００２７】
レーザドライバ７は、後述するレーザ光源部９に設けられるレーザダイオードを駆動する信号を生成するブロックである。レーザドライバ７は、赤色レーザ駆動回路７１と、青色レーザ駆動回路７２と、緑色レーザ駆動回路７３と、を備える。
【００２８】
赤色レーザ駆動回路７１は、映像処理部３が出力する制御信号に基づき、赤色レーザ素子ＬＤ１を駆動する。青色レーザ駆動回路７２は、映像処理部３が出力する制御信号に基づき、青色レーザ素子ＬＤ２を駆動する。緑色レーザ駆動回路７３は、映像処理部３が出力する信号に基づき、緑色レーザ素子ＬＤ３を駆動する。
【００２９】
ＭＥＭＳドライバ８は、タイミングコントローラ２１が出力する信号に基づきＭＥＭＳミラー９５を制御する。ＭＥＭＳドライバ８は、サーボ回路と、ドライバ回路と、を備える。サーボ回路は、タイミングコントローラ２１からの信号に基づき、ＭＥＭＳミラー９５の動作を制御する。ドライバ回路は、サーボ回路が出力するＭＥＭＳミラー９５の制御信号を所定レベルに増幅して出力する。
【００３０】
レーザ光源部９は、レーザドライバ７から出力される駆動信号に基づいて、レーザ光を出射する。具体的には、レーザ光源部９は、赤色レーザ素子ＬＤ１と、青色レーザ素子ＬＤ２と、緑色レーザ素子ＬＤ３と、コリメータレンズ９１ａ〜９１ｃと、反射ミラー９２ａ〜９２ｃと、受光部２４と、を備える。
【００３１】
赤色レーザ素子ＬＤ１は赤色のレーザ光（「赤色レーザ光Ｌｒ」とも呼ぶ。）を出射し、青色レーザ素子ＬＤ２は青色のレーザ光（「青色レーザ光Ｌｂ」とも呼ぶ。）を出射し、緑色レーザ素子ＬＤ３は緑色のレーザ光（「緑色レーザ光Ｌｇ」とも呼ぶ。）を出射する。コリメータレンズ９１ａ〜９１ｃは、それぞれ、赤色、青色及び緑色のレーザ光Ｌｒ、Ｌｂ、Ｌｇを平行光にして、反射ミラー９２ａ〜９２ｃに出射する。反射ミラー９２ｂは、青色レーザ光Ｌｂを反射する。反射ミラー９２ｃは、青色レーザ光Ｌｂを透過させ、緑色レーザ光Ｌｇを反射する。反射ミラー９２ａは、赤色レーザ光Ｌｒの一部を反射し、残りの部分を透過させる。また、反射ミラー９２ａは、青色及び緑色のレーザ光Ｌｂ、Ｌｇの一部を透過し、残りの部分を反射する。こうして反射ミラー９２ａを透過した赤色レーザ光Ｌｒ及び反射ミラー９２ａで反射された青色及び緑色のレーザ光Ｌｂ、Ｌｇは、ＭＥＭＳミラー９５に入射される。また、赤色レーザ光Ｌｒ、青色レーザ光Ｌｂ及び緑色レーザ光Ｌｂの一部は、受光部２４に照射される。
【００３２】
レーザ光源部９からレーザ光が射出される位置には、マイクロレンズアレイ１３と、フィールドレンズ１４とが設けられている。ＭＥＭＳミラー９５は、反射ミラー９２ａから入射されたレーザ光をＥＰＥ（Ｅｘｉｔ  Ｐｕｐｉｌ  Ｅｘｐａｎｄｅｒ）の一例であるマイクロレンズアレイ１３に向けて反射する。ＭＥＭＳミラー９５は、基本的には、画像信号入力部２に入力された画像（以下、「入力画像」と呼ぶ。）を表示するために、ＭＥＭＳドライバ８の制御によりマイクロレンズアレイ１３上を走査するように移動し、その際の走査位置情報（例えばミラーの角度などの情報）を走査位置情報Ｓｃとしてタイミングコントローラ２１へ出力する。
【００３３】
マイクロレンズアレイ１３は、複数のマイクロレンズが配列されており、ＭＥＭＳミラー９５で反射されたレーザ光が入射する。フィールドレンズ１４は、マイクロレンズアレイ１３の放射面に形成された画像を拡大し、図示しない投影面に投影する。例えば、投影装置４２がヘッドアップディスプレイの光源として用いられる場合、フィールドレンズ１４はコンバイナ等に表示像を構成する光を出射する。
【００３４】
受光部２４は、フォトディテクタにより構成され、赤色レーザ光Ｌｒ、青色レーザ光Ｌｂ及び緑色レーザ光Ｌｂの合成光を受光して、その合成光の強度に対応する電圧を示す信号ＳｄをＭＣＵ２２に出力する。ＭＣＵ２２は、受光部２４から出力される電圧値に基づいて、レーザドライバ７による各レーザ光源ＬＤ１〜ＬＤ３の発光及び停止を制御する。
【００３５】
（ＭＥＭＳミラー）
次に、ＭＥＭＳミラー９５の構成について説明する。図３は、ＭＥＭＳミラー９５の上面図である。図３に示すように、ＭＥＭＳミラー９５は、主に、固定枠３１と、フレーム部３２と、ミラー部３３と、磁石３４Ａ〜３４Ｄと、Ｘ軸トーションバー３５Ａ、３５Ｂと、Ｙ軸トーションバー３６Ａ、３６Ｂと、歪ゲージ３７Ｖ、３７Ｈとを有する。
【００３６】
固定枠３１は、フレーム部３２を支持するための構造体であり、金属材料またはシリコンなどの半導体材料によって形成される。固定枠３１は、内部に空隙を備える枠形状を有している。フレーム部３２は、内部に空隙を備える枠形状を有している。フレーム部３２は、Ｘ軸トーションバー３５Ａ、３５Ｂを介し固定枠３１に接続されており、固定枠３１に対してＸ軸トーションバー３５Ａ、３５Ｂを回転軸として揺動（回転）自在となっている。
【００３７】
固定枠３１及びフレーム部３２の表面には、凸パターンが形成されており、固定枠３１からＸ軸トーションバー３５Ａ、３５Ｂを経由して延びる配線パターンは、フレーム部３２の枠形状に沿って、フレーム部３２の表面上にコイル３８を形成する。ミラー部３３は、入射してくる光を反射する反射膜が表面に形成された円盤形状の部材であり、Ｙ軸トーションバー３６Ａ、３６Ｂを介してフレーム部３２に接続されている。そして、ミラー部３３は、フレーム部３２に対してＹ軸トーションバー３６Ａ、３６Ｂを回転軸として揺動自在となっている。磁石３４Ａ〜３４Ｄは、フレーム部３２の周辺に配置され、フレーム部３２に形成されるコイル３８が存在する領域に、水平（Ｈ）方向及び垂直（Ｖ）方向の磁界を発生させる。
【００３８】
Ｘ軸トーションバー３５Ｂ付近には、歪ゲージ３７Ｖが設けられ、Ｙ軸トーションバー３６Ｂ付近には、歪ゲージ３７Ｈが設けられている。歪ゲージ３７Ｖは、ミラー部３３の垂直（Ｖ）方向の位置を検出するセンサであり、Ｘ軸トーションバー３５Ｂのねじれ量とねじれ方向に対応する電圧を出力する。歪ゲージ３７Ｈは、ミラー部３３の水平（Ｈ）方向の位置を検出するセンサであり、Ｙ軸トーションバー３６Ｂのねじれ量とねじれ方向に対応する電圧を出力する。
【００３９】
上記のように、ＭＥＭＳミラー９５はミラー部３３がＸ軸トーションバー３５Ａ、３５Ｂ及びＹ軸トーションバー３６Ａ、３６Ｂにより回転可能に固定枠３１に接続されている。ミラー部３３は、ＭＥＭＳドライバ８から入力された駆動信号がコイル３８内を流れることで生じる電磁気力の作用により回転する。駆動信号が入力されない場合、ミラー部３３はＸ軸トーションバー３５及びＹ軸トーションバー３６が平衡状態となる位置、即ちニュートラル位置で静止する。歪ゲージ３７Ｖ、３７Ｈの出力に基づいて、ＭＥＭＳミラー９５の回転変位が算出され、レーザ光の走査位置を示す走査位置情報Ｓｃとしてタイミングコントローラ２１へ出力される。
［故障表示制御］
次に、本実施例における故障表示制御について説明する。上述のように、タイミングコントローラ２１は、ＭＥＭＳドライバ８を制御し、ＭＥＭＳミラー９５に駆動信号を供給させるとともに、ＭＥＭＳミラー９５から出力される走査位置情報Ｓｃに基づいてＭＥＭＳミラー９５の回転変位を監視する。ここで、何らかの原因でＭＥＭＳミラー９５が故障し、入力した駆動信号に応じた回転変位が得られなくなった場合、タイミングコントローラ２１は、エラー信号ＳｅをＭＣＵ２２へ出力するとともに、ＭＥＭＳミラー９５への駆動信号の供給を停止する。これにより、ＭＥＭＳミラー９５のミラー部３３は、Ｘ軸トーションバー３５及びＹ軸トーションバー３６が平衡状態となる位置、即ち、ニュートラル位置で停止する。
【００４０】
ＭＣＵ２２は、エラー信号Ｓｅを受信した場合、レーザドライバ７を制御し、赤色レーザ素子ＬＤ１のみを所定の明るさで発光させる。この場合の明るさは、レーザクラスで定められた照射量を超えない明るさに設定される。具体的には、ＭＣＵ２２は、受光部２４から出力される信号Ｓｄを参照して、赤色レーザ光Ｌｒが上記の所定の明るさとなるように制御する。この際、好ましくは、ユーザ（運転者）が気付き易いように、赤色レーザ光Ｌｒを点滅させる。
【００４１】
このとき、上述のようにＭＥＭＳミラー９５への駆動信号の供給は停止され、ＭＥＭＳミラー９５はニュートラル位置に停止しているので、赤色レーザ光ＬＤ１の発光は、図４に例示するように、ＭＥＭＳミラー９５の通常の走査エリア、即ち画像表示エリア内の中央付近に赤色の輝点５０として表示される。こうして、赤色の輝点が故障インジケータとして表示される。このように、ＭＥＭＳミラー９５に故障が生じた場合には、通常の画像表示エリア内に赤色の輝点が表示されるので、ユーザは速やかに故障の発生を認識することができる。
【００４２】
図５は、ＭＥＭＳミラーの故障表示制御のフローチャートである。この処理は、ＭＣＵ２２が予め用意されたプログラムを実行することにより実現される。まず、ＭＣＵ２２は、ＭＥＭＳミラー９５に故障が発生しているか否かを判定する（ステップＳ１）。具体的には、ＭＣＵ２２は、タイミングコントローラ２１から、上述のエラー信号を受信した場合にＭＥＭＳミラー９５に故障が発生していると判定し、エラー信号を受信していない場合にＭＥＭＳミラーに９５に故障が発生していないと判定する。
【００４３】
故障が発生していない場合（ステップＳ１：Ｎｏ）、処理は終了する。一方、故障が亜発生している場合（ステップＳ１：Ｙｅｓ）、ＭＣＵ２２は、タイミングコントローラ２１を制御して、ＭＥＭＳドライバ８からＭＥＭＳミラー９５への駆動信号の供給を停止する（ステップＳ２）。さらに、ＭＣＵ２２は、レーザドライバ７を制御し、上記のように故障インジケータとしての所定の発光を行う（ステップＳ３）。そして処理は終了する。
【００４４】
［変形例］
次に、上記の実施例の変形例について説明する。なお、以下の変形例は適宜組み合わせて適用することができる。
【００４５】
（変形例１）
上記の実施例では、故障インジケータとして、赤色の輝点の表示、又は、赤色の輝点の点滅表示を行っているが、本発明の適用はこれには限られない。例えば、赤色以外の他の色の表示又は他の色の点滅を行っても良い。また、例えば、赤色→緑色→青色など、異なる色を繰り返し表示するようにしてもよい。
【００４６】
（変形例２）
外光センサを設けて周囲環境の明るさを検出し、周囲環境の明るさに応じて故障インジケータとして表示される輝点の明るさを変化させてもよい。具体的には、外光センサをＭＣＵ２２に接続し、外光センサの出力をＭＣＵ２２へ供給する。ＭＣＵ２２は、外光量に応じて、赤色などの輝点の明るさを変化させる。即ち、周囲環境が明るい場合にはそれに応じて輝点を明るくし、周囲環境が暗い場合にはそれに応じて輝点を暗くする。これにより、周囲環境の明るさに適した明るさで故障インジケータを表示することが可能となる。
【符号の説明】
【００４７】
７  レーザドライバ
８  ＭＥＭＳドライバ
９  レーザ光源部
２１  タイミングコントローラ
２２  ＭＣＵ
２４  受光部
３１  固定枠
３３  ミラー部
３５Ａ、３５Ｂ  Ｘ軸トーションバー
３６Ａ、３６Ｂ  Ｙ軸トーションバー
４０  ヘッドアップディスプレイ
４２  投影装置
９５  ＭＥＭＳミラー
【図１】
2018180356.tif 000003
【図２】
2018180356.tif 000004
【図３】
2018180356.tif 000005
【図４】
2018180356.tif 000006
【図５】
2018180356.tif 000007